(57)【要約】【課題】光触媒ユニットおよび送風ユニットの組み込みや、少なくとも適時交換を要する光触媒ユニットの装脱をパネルの一面側から容易、迅速かつ的確にできるようにした空気脱臭機能付パネルを提供する。【解決手段】空気脱臭機能付パネルをなすベッドのヘッドパネル１は、中空二重壁パネルの中空部３を光触媒ユニット６および送風ユニット７により区分してその一方の中空部９に外気を吸入し、光触媒ユニット６を通して他方の中空部１０から外気中に排出する過程で空気中の臭気を除去する構成である。ヘッドパネル１の前面に、光触媒ユニット６および送風ユニット７を一体化した空気脱臭ユニット８の装填窓１３を設ける。装填窓１３から空気脱臭ユニット８を装填するように構成されている。【選択図】        図１
2005021756.tif 000002
【特許請求の範囲】
【請求項１】
中空二重壁パネルの中空部を光触媒ユニットおよび送風ユニットにより区分してその一方の中空部に外気を吸入し、光触媒ユニットを通して他方の中空部から外気中に排出する過程で空気中の臭気を除去する空気脱臭機能付パネルであって、中空二重壁パネルの少なくとも一面に光触媒ユニットおよび送風ユニットの装填窓を設け、この装填窓から光触媒ユニットおよび送風ユニットを装脱するように構成されていることを特徴とする空気脱臭機能付パネル。
【請求項２】
光触媒ユニットおよび送風ユニットを一体化して空気脱臭ユニットを構成し、この空気脱臭ユニットを装填窓から装脱するように構成したことを特徴とする請求項１記載の空気脱臭機能付パネル。
【請求項３】
中空二重壁パネルはベッドのヘッドパネルであって、一方の中空部および他方の中空部の外気に通じる開口部をヘッドパネルの前面に設けてあることを特徴とする請求項１または２記載の空気脱臭機能付パネル。
【発明の詳細な説明】
【０００１】
【発明の属する技術分野】
本発明は、室内を仕切るパーティションなどの各種仕切パネル、ベッドのヘッドパネルなどの中空二重壁パネルであって、その中空部を光触媒ユニットおよび送風ユニットにより区分してその一方の中空部に外気を吸入し、空気脱臭ユニットを通して他方の中空部から外気中に排出する過程で空気中の臭気を除去する空気脱臭機能付パネルに関するものである。
【０００２】
【従来の技術】
オフィスの空間を仕切るパーティション等の中空二重壁パネルであってその中空部を利用して空気清浄機能をもたせた空気清浄機能付仕切パネルは、特開平１１−１５９０３４号公報に記載されている。
【０００３】
【発明が解決しようとする課題】
ところで、前掲の特開平１１−１５９０３４号公報に記載されている空気清浄機能付パネルにおいては、中空二重壁パネルの一方の面の下部に外気の吸入口を、かつその面の上部に外気に通じる吹出口を設けてあり、中空部内には光触媒エレメントとランプを内蔵させ、中空部内の吹出口に対応する位置には送風ファンを備えているが、このような構造の空気清浄機能付パネルでは、光触媒エレメントやランプ等の点検、交換等の作業にあたって、中空二重壁パネルの少なくとも一面の全部または一部を大きく開かなければならず、作業が甚だ煩雑であるばかりか、光触媒エレメントは中空部内の一面に取り付ける構造であるところから、特に光触媒エレメントの装着や交換が容易にできないものである。
【０００４】
そこで、本発明の目的は、中空二重壁パネルの中空部を光触媒ユニットおよび送風ユニットにより区分してその一方の中空部に外気を吸入し、光触媒ユニットを通して他方の中空部から外気中に排出する過程で空気中の臭気を除去する空気脱臭機能付パネルであって、中空二重壁パネルの少なくとも一面に光触媒ユニットおよび送風ユニットの装填窓を設け、この装填窓から光触媒ユニットおよび送風ユニットを装脱するように構成したことにより、光触媒ユニットおよび送風ユニットの組み込みや、少なくとも適時交換を要する光触媒ユニットの装脱をパネルの一面側から容易、迅速かつ的確にできるようにした空気脱臭機能付パネルを提供するものである。
【０００５】
【課題を解決するための手段】
本発明の請求項１に係る空気脱臭機能付パネルは、中空二重壁パネルの中空部を光触媒ユニットおよび送風ユニットにより区分してその一方の中空部に外気を吸入し、光触媒ユニットを通して他方の中空部から外気中に排出する過程で空気中の臭気を除去する空気脱臭機能付パネルであって、中空二重壁パネルの少なくとも一面に光触媒ユニットおよび送風ユニットの装填窓を設け、この装填窓から光触媒ユニットおよび送風ユニットを装脱するように構成されていることを特徴とするものである。
【０００６】
本発明の請求項２に係る空気脱臭機能付パネルは、請求項１記載の構成において、光触媒ユニットおよび送風ユニットを一体化して空気脱臭ユニットを構成し、この空気脱臭ユニットを装填窓から装脱するように構成したことを特徴とするものである。
【０００７】
本発明の請求項３に係る空気脱臭機能付パネルは、請求項１または２記載の構成において、中空二重壁パネルはベッドのヘッドパネルであって、一方の中空部および他方の中空部の外気に通じる開口部をヘッドパネルの前面に設けてあることを特徴とするものである。
【０００８】
【発明の実施の形態】
図面は本発明の一実施の形態に係る空気脱臭機能付パネルとしてベッドのヘッドパネルを例示しており、図１はその縦断側面図、図２は同上前側から見た斜視図、図３は同上内方から見た斜視図である。
【０００９】
図示のベッドにおいて、１はヘッドパネルである。このヘッドパネル１は、熱可塑性樹脂をブロー成形してなる中空二重壁パネルであって、２はその前面、３は中空部、４，５は補強リブである。中空二重壁パネルからなるヘッドパネル１は、その中空部３が光触媒ユニット６および送風ユニット７を一体化してなる空気脱臭ユニット８により一方の中空部９と他方の中空部１０に区分されている。そして、ヘッドパネル１の一面、すなわち前面２にはその一方の中空部９を外気に通じさせた吸気口１１が、かつ他方の中空部１０を外気に通じさせた排気口１２がそれぞれ開口されている。また、ヘッドパネル１の他の面、すなわち内方面には、空気脱臭ユニット８を中空部３内に装脱するための装填窓１３が形成されており、中空部３のこの装填窓１３に対応する部分は空気脱臭ユニット８を固定保持する装填部をなしている。
【００１０】
光触媒ユニット６は、光触媒担持体１４と光源のＬＥＤ１５を備えており、また送風ユニット７は、送風ファン１６およびフィルタ１７を備えている。図中、１８はベッドボトム、１９はスプリングマットレスである。２０は太陽電池であって、ヘッドパネル１の前面２に設けてある。この太陽電池２０はＬＥＤ１５および送風ファン１６の電源となるものである。
【００１１】
図示の構成のものにおいて、送風ユニット７を駆動すると、一方の中空部９の吸気口１１から外気が吸入され、その吸入された外気は光触媒ユニット６を通って他方の中空部１０に吹き抜け、外気に通じている排気口１２から排出される。そして、この空気の流通作用により光触媒ユニット６を通る過程で空気中の臭気成分が除去され、排気口１２からは脱臭された空気が排出される。
【００１２】
ところで、図示の構成によれば、吸気口９および排気口１０がヘッドパネル１の前面に設けてあってベッドの内方側には空気流を生じないので、ベッドを使っている人に不快感を与えず、周辺の空気の脱臭を効果的に行うことができる。また、光触媒ユニット６および送風ユニット７を一体化した空気脱臭ユニット８は、ベッドの内方側の面から装脱するので、ベッド上に空気脱臭ユニット８を載せた状態で容易にその作業ができる。
【００１３】
【発明の効果】
本発明によれば、中空二重壁パネルの中空部を光触媒ユニットおよび送風ユニットにより区分してその一方の中空部に外気を吸入し、光触媒ユニットを通して他方の中空部から外気中に排出する過程で空気中の臭気を除去する空気脱臭機能付パネルであって、中空二重壁パネルの少なくとも一面に光触媒ユニットおよび送風ユニットの装填窓を設け、この装填窓から光触媒ユニットおよび送風ユニットを装脱するように構成したことにより、光触媒ユニットおよび送風ユニットの組み込みや、少なくとも適時交換を要する光触媒ユニットの装脱をパネルの一面側から容易、迅速かつ的確にできるようにした空気脱臭機能付パネルを提供することができる。
【図面の簡単な説明】
【図１】本発明の一実施の形態に係る空気脱臭機能付パネルとしてベッドのヘッドパネルを例示した縦断側面図である。
【図２】同上前側から見た斜視図である。
【図３】同上内方から見た斜視図である。
【符号の説明】
１  ヘッドパネル
２  前面
３  中空部
４，５  補強リブ
６  光触媒ユニット
７  送風ユニット
８  空気脱臭ユニット
９  一方の中空部
１０  他方の中空部
１１  吸気口
１２  排気口
１３  装填窓
１４  光触媒担持体
１５  ＬＥＤ
１６  送風ファン
１７  フィルタ
１８  ベッドボトム
１９  スプリングマットレス
２０  太陽電池
【図１】
2005021756.tif 000003
【図２】
2005021756.tif 000004
【図３】
2005021756.tif 000005